(57)【要約】【課題】保護部材が刃先を覆っているカッターを用いて、開梱作業を円滑に行うことができる包装箱を提供する。【解決手段】切刃の刃先に保護部材を備えるカッターを用いて胴部２を上下に切断することにより開梱される包装箱であり、筒状の胴部２と、胴部の上下を閉塞する蓋部３と、カッターの保護部材を挿入させる挿入口４とを備える。【選択図】図１
0003181236.tif 000002
【実用新案登録請求の範囲】
【請求項１】
被包装物を収容する筒状の胴部と、該胴部の上下を閉塞する蓋部とを備え、カッターを用いて前記胴部を上下に切断することにより開梱され、前記カッターとして、把持部を備えるカッター本体と、該カッター本体に支持された切刃と、該切刃の刃先に固設されて該刃先を覆う保護部材とを備えるものが用いられる包装箱において、
前記胴部は、その一部に前記カッターにより切断を開始すべく前記保護部材を挿入させる挿入口を備えることを特徴とする包装箱。
【請求項２】
前記挿入口は、前記カッターの保護部材の当接に応じて揺動する舌片により開放可能に閉塞されていることを特徴とする請求項１記載の包装箱。
【請求項３】
前記挿入口は、前記カッターの保護部材を挿入した後に、前記切刃を切断方向に案内する案内切れ目を備えることを特徴とする請求項１又は２記載の包装箱。
【考案の詳細な説明】
【技術分野】
【０００１】
本考案は、包装箱に関し、特に、カッター用いて胴部を上下に切断することにより開梱される包装箱に関する。
【背景技術】
【０００２】
段ボール製の包装箱においては、開梱して内部の被包装物を展示状態にするために、胴部を上下に切断し、被包装物を載置した状態で包装箱の下部をトレー状に形成することが行われている。
【０００３】
従来、胴部を上下に切断するために、胴部内面の周方向に合成樹脂製の破断用テープを貼着しておき、切断開始時に手掛かりとするＨ字状の切れ目を胴部に形成した包装箱が知られている（例えば、下記特許文献１参照）。
【０００４】
この包装箱においては、Ｈ字状の切れ目から破断用テープを摘み、胴部の周方向に引き破ることにより胴部を上下に切断する。しかし、破断用テープにより引き千切られるようにして切断された胴部は、トレー状に形成されたときに露出する破断端縁が粗雑で見苦しい。しかも、帯状に切離された切り屑に合成樹脂の破断用テープが貼着されているため、段ボールをリサイクルする際には破断用テープを剥離させる作業が必要となり、手数が掛かる不都合がある。
【０００５】
一方、破断用テープを用いることなく胴部を上下に切断するために、胴部の周方向にジッパー等の破断容易線を設けた包装箱が知られている（例えば、下記特許文献２参照）。しかし、胴部に破断容易線を設けると、胴部の強度が低下する不都合がある。
【０００６】
また、破断用テープや破断容易線を設けることなく胴部を形成し、開梱の際にカッターナイフを用いることが考えられる。これによれば、胴部の強度が維持できて切り屑も生じることがなく、トレー状に形成した際の切断端縁も滑らかで外観が良好である。しかし、カッターナイフにより胴部を切断するためには、切刃の先端側を胴部の内部に刺し込む必要があり、切刃により被包装物を傷付けるおそれがある。
【０００７】
ところで、本出願人は、先に、被包装物を傷付けることなく胴部を上下に切断することが可能なカッターを提案した（下記特許文献３参照）。このカッターは、保護部材を備えている。保護部材が刃先を覆っているから、被包装物を傷付けることがない。
【先行技術文献】
【特許文献】
【０００８】
【特許文献１】実公昭５４−３２７４２号公報
【特許文献２】特開２０００−３３５５５４号公報
【特許文献３】特許第４５５９７６８号公報
【考案の概要】
【考案が解決しようとする課題】
【０００９】
しかし、上記カッターにより胴部の切断を開始するためには保護部材を胴部に挿入する必要がある。このため、例えば、胴部に形成されている取っ手用の穴や、胴部を閉塞している複数のフラップ間等の隙間に保護部材を差し込んで包装箱の破断を開始するといったことが必要となり、切断に適した位置（トレー状に切断するために適した切断開始位置等）からの円滑な切断作業が望めなかった。
【００１０】
上記の点に鑑み、本考案は、保護部材が刃先を覆っているカッターを用いて、開梱作業を円滑に行うことができる包装箱を提供することを目的とする。
【課題を解決するための手段】
【００１１】
本考案は、被包装物を収容する筒状の胴部と、該胴部の上下を閉塞する蓋部とを備え、カッターを用いて前記胴部を上下に切断することにより開梱され、前記カッターとして、把持部を備えるカッター本体と、該カッター本体に支持された切刃と、該切刃の刃先に固設されて該刃先を覆う保護部材とを備えるものが用いられる包装箱において、前記胴部は、その一部に前記カッターにより切断を開始すべく前記保護部材を挿入させる挿入口を備えることを特徴とする。
【００１２】
本考案の包装箱によれば、カッターの保護部材を挿入口から胴部の内部に容易に挿入することができ、胴部の切断を円滑に開始することができる。
【００１３】
また、本考案において、前記挿入口は、前記カッターの保護部材の当接に応じて揺動する舌片により開放可能に閉塞されていることが好ましい。これによれば、前記挿入口を舌片が閉塞するので、前記挿入口を介して胴部の内部への異物の侵入が防止できる。しかも、舌片はカッターの保護部材の当接に応じて揺動するので、挿入口への保護部材の挿入が舌片により阻害されることがない。
【００１４】
また、本考案において、前記挿入口は、前記カッターの保護部材を挿入した後に、前記切刃を切断方向に案内する案内切れ目を備えることが好ましい。これによれば、前記挿入口に保護部材を挿入したとき、カッターを案内切れ目に向かって移動させるだけで切刃が案内切れ目に侵入し、切断開始時の抵抗感を軽減して円滑に切断を進行させることができる。
【図面の簡単な説明】
【００１５】
【図１】本考案の一実施形態の包装箱を示す説明的斜視図。
【図２】挿入口を示す平面図。
【図３】本実施形態において使用するカッターを示す図。
【図４】挿入口へのカッターの保護部材の挿入状態を示す説明図。
【図５】胴部の切断作業を示す説明図。
【図６】挿入口の変形例を示す平面図。
【図７】挿入口の他の変形例を示す平面図。
【考案を実施するための形態】
【００１６】
本考案の一実施形態を図面に基づいて説明する。本実施形態の包装箱１は、段ボール板紙を折り曲げることにより形成されるものであり、図１に示すように、四角筒状の胴部２を備えている。胴部２の上部は複数のフラップにより形成される蓋部３により閉塞されている。胴部２の底部も上部と同様にして閉塞されている。
【００１７】
胴部２の周壁の一部には挿入口４が形成されている。挿入口４は、図２に示すように、長穴形状を有しており、一対の舌片５により閉塞されている。各舌片５は、挿入口４の長手方向に沿って延びる一対の縁の夫々に折目線６を介して連設されている。
【００１８】
胴部２に挿入口４を形成するときには、胴部２の周壁面に複数の切れ目を設ける。即ち、挿入口４は、一対の湾曲切れ目７と、両湾曲切れ目７の中央を結ぶ中央切れ目８とを設けることにより形成される。
【００１９】
挿入口４に舌片５が設けられていることにより、挿入口４が閉塞されて胴部２内への異物の侵入等が防止できる。
【００２０】
また、挿入口４の長手方向の両端部には、胴部２の切断方向に向かって延びる一対の案内切れ目９が形成されている。
【００２１】
本実施形態の包装箱１は、例えば、前記特許文献３に記載されたものと同様の構成を有する図３示のカッター１０を用いてトレー状に開梱するのに適している。ここで、本実施形態で用いるカッター１０の構成を説明する。
【００２２】
カッター１０は、図３に示すように、手指を通す楕円状の孔である把持部１１を有するカッター本体１２と、カッター本体１２に支持された円盤状の切刃１３とを備えている。切刃１３には、複数の保護部材１４が所定間隔を存して設けられている。
【００２３】
カッター本体１２からは切刃１３の一部が露出する。露出部分の切刃１３の刃先が保護部材１４により覆われている。保護部材１４とカッター本体１２との間に位置する切刃１３の一部が胴部２を切断するために使用される。
【００２４】
そして、カッター１０は、保護部材１４を包装箱１の胴部２に挿入した後、切刃１３が向いている方向にカッター本体１２を引っ張ることで、胴部２を切断することができる。このとき、切断の進行と共に胴部２の周方向に切刃１３が移動するが、胴部２の内部では保護部材１４が移動するので、切刃１３による被包装物の損傷が防止される。なお、切刃１３が円盤状であるため、切刃１３の切れ味が低下したときには切刃１３を回転させて切れ味の高い部分を使用することができるようになっている。
【００２５】
このカッター１０を用いて包装箱１をトレー状に開梱するときには、図４（ａ）に示すように、カッター１０の保護部材１４を挿入口４に押し付ける。これにより、図４（ｂ）に示すように、挿入口４の舌片５が拡開し、カッター１０の保護部材１４を胴部２の内部に円滑に挿入することができる。
【００２６】
このとき、挿入口４の案内切れ目９にカッター１０の切刃１３が嵌り込むようにして、切刃１３が確実に進行方向に向けられる。
【００２７】
そして、図５に示すように、挿入口４に保護部材１４を挿入した状態から、カッター本体１２を胴部２の外面に沿って引っ張り、胴部２の周方向に切断を進行させる。このとき、カッター１０の切刃１３がその進行方向に挿入口４の案内切れ目９により案内され、安定して円滑な胴部２の切断が行える。
【００２８】
このようにして、カッター１０により胴部２の全周を切断し、胴部２の上部を下部から取り除くことにより、図示しないが、包装箱１がトレー状に開梱される。
【００２９】
なお、本実施形態においては、図２に示すように、挿入口４に舌片５を設けた例を示したが、図６に示すように、孔状の挿入口１５を設けてもよい。この場合には、挿入口１５が常に開放された状態となるため、胴部２内に異物が侵入するおそれがあるが、使用者にとって挿入口１５が視認し易くなる利点がある。
【００３０】
またそれ以外に、図７に示すように、コ字形の切り込みにより遊離自在に形成された舌片１６を有する挿入口１７を設けてもよい。舌片１６は、挿入口１７の長手方向の一端の折目線１８を介して揺動自在となっている。そして、図示しないが、カッター１０の保護部材１４を挿入口１７に押し付けることで、舌片１６が揺動し、保護部材１４を挿入口１７に挿入することができる。その後、挿入口１７の長手方向の他端方向（折目線１８と反対方向）にカッター本体１２を引っ張り、胴部２の周方向に切断を進行させることで、胴部２を開梱することができる。
【符号の説明】
【００３１】
１…包装箱、２…胴部、３…蓋部、１０…カッター、１１…把持部、１２…カッター本体、１３…切刃、１４…保護部材、４…挿入口、５…舌片、９…案内切れ目。
【図１】
0003181236.tif 000003
【図２】
0003181236.tif 000004
【図３】
0003181236.tif 000005
【図４】
0003181236.tif 000006
【図５】
0003181236.tif 000007
【図６】
0003181236.tif 000008
【図７】
0003181236.tif 000009